(57)【要約】【課題】電子機器において、部分的に強度の不足する筐体を簡単かつ安価に補強する。【解決手段】筐体１０の少なくとも一部を正面側キャビネット３で構成し、この正面側キャビネット３の剛性を確保するリブ（外周壁３ｂ）の一部を凹陥して部品収納凹部１１を設ける。この部品収納凹部１１に外周壁３ｂよりも剛性の高い第１補強部材１２を収納する。第１補強部材１２を両面テープ１４（抜け止め構造）で部品収納凹部１１から抜け止めする。【選択図】図１
2015130625.tif 000002
【特許請求の範囲】
【請求項１】
筐体の少なくとも一部を構成するメインキャビネットと、
上記メインキャビネットにおける剛性を確保するリブの一部を凹陥した部品収納凹部と、
上記部品収納凹部に収納される上記リブよりも剛性の高い補強部材とを備え、
上記補強部材は、抜け止め構造で上記部品収納凹部から抜け止めされている
ことを特徴とする電子機器。
【請求項２】
請求項１に記載の電子機器において、
上記抜け止め構造は、
上記補強部材の上記部品収納凹部に対する挿入方向先端側の寸法が挿入方向反対側の寸法よりも小さいことによる圧入構造と、
上記補強部材と上記部品収納凹部内面との間に設けた両面テープによる接着構造と、
上記部品収納凹部の反対側に収納される収納部品よりなる閉鎖構造との少なくとも１つよりなる
ことを特徴とする電子機器。
【請求項３】
請求項１又は２に記載の電子機器において、
上記補強部材は、樹脂成形品よりなり、挿入方向先端側に上記部品収納凹部に係合する係合部が設けられている
ことを特徴とする電子機器。
【請求項４】
請求項１から３までのいずれか１つに記載の電子機器において、
上記補強部材は金属製であり、内部に挿通された同軸ケーブルに電気的に接続されると共に、上記メインキャビネットに設けた接地用部品に弾性変形して電気的に接続されている
ことを特徴とする電子機器。
【請求項５】
請求項１から３までのいずれか１つに記載の電子機器において、
上記メインキャビネットは、接地用部品としての金属製の補強フレームを有し、
上記補強フレームから間隔を空けて接地が必要な回路基板が配置され、
上記補強部材は、金属製であり、上記補強フレームに接すると共に、上記回路基板に接地される弾性を有する接地用アームを有する
ことを特徴とする電子機器。
【発明の詳細な説明】
【技術分野】
【０００１】
本発明は、部分的に強度の不足する筐体を有する電子機器に関し、特にその補強構造に関する。
【背景技術】
【０００２】
従来より、例えば、特許文献１のように、一対のケースを嵌合してなる筐体を有し、この筐体を形成する一対のケースのいずれか一方に金属により形成した金属ケースを用いると共に、金属ケースの内面の一部に少なくとも１つ以上の補強板を有し、金属ケースの補強板に他方のケースを固着することで筐体を形成する電子機器が知られている。
【先行技術文献】
【特許文献】
【０００３】
【特許文献１】特開２００４−７２６２号公報
【発明の概要】
【発明が解決しようとする課題】
【０００４】
しかしながら、上記従来の電子機器では、金属ケースの内面に補強板を直接貼り付けて剛性を確保するようにしているので、補強板自体のサイズも大きくなり、そのために内側に設ける表示部などの部品が小さくなってしまう。
【０００５】
また、補強板を樹脂ケースにインサート成形することも考えられるが、金型形状の制約により、補強板の形状は制限され、必ずしも強度の不足する部位を補強できるとは限らない。
【０００６】
本発明は、かかる点に鑑みてなされたものであり、その目的とするところは、部分的に強度の不足する筐体を簡単かつ安価に補強することにある。
【課題を解決するための手段】
【０００７】
上記の目的を達成するために、この発明では、メインキャビネットの強度が不足する部分に補強部材を収納するようにした。
【０００８】
具体的には、本発明では、筐体の少なくとも一部を構成するメインキャビネットと、
上記メインキャビネットにおける剛性を確保するリブの一部を凹陥した部品収納凹部と、
上記部品収納凹部に収納される上記リブよりも剛性の高い補強部材とを備え、
上記補強部材は、抜け止め構造で上記部品収納凹部から抜け止めされている。
【０００９】
上記の構成によると、補強部材がメインキャビネットに収納されて抜け止めされた状態で剛性を確保できるので、筐体全体の剛性が向上する。また、剛性の高い補強部材を部品収納凹部内に納めることができるので、リブの厚さを厚くする必要がなく、筐体内に設ける部品を小さくする必要がない。
【発明の効果】
【００１０】
以上説明したように、本発明によれば、筐体の少なくとも一部を構成するメインキャビネットにおける剛性を確保するリブの一部を凹陥した部品収納凹部にリブよりも剛性の高い補強部材を抜け止めした状態で収納するようにしたことにより、部分的に強度の不足する筐体を簡単かつ安価に補強することができる。
【図面の簡単な説明】
【００１１】
【図１】図２のＩ−Ｉ線拡大断面図である。
【図２】本発明の実施形態に係る携帯電話機を示す斜視図である。
【図３】携帯電話機の分解斜視図である。
【図４】正面側キャビネット及びその一部を拡大して示す斜視図である。
【図５】図２のＶ−Ｖ線拡大断面図である。
【図６】（ａ）及び（ｂ）は、第１補強部材の斜視図である。
【図７】（ａ）及び（ｂ）は、第２補強部材の斜視図である。
【図８】本発明の実施形態の変形例１に係る図１相当図である。
【図９】本発明の実施形態の変形例２に係る図１相当図である。
【発明を実施するための形態】
【００１２】
以下、本発明の実施形態を図面に基づいて説明する。
【００１３】
図１〜図３は本発明の実施形態の電子機器としての携帯電話機１（スマートフォン）を示し、この携帯電話機１は、表示部２が収容されるメインキャビネットとしての正面側キャビネット３と、その背面側を覆う背面側キャビネット４とを有する。また、背面側キャビネット４の背面がリアカバー５で覆われている。正面側キャビネット３と背面側キャビネット４との間の収容空間には、例えば矩形板状の充電池６と回路基板７とが収容されている。例えば、背面側キャビネット４の背面側は、防水シート８で覆われている。そして、回路基板７の側方には、同軸ケーブル９が上下に延びるように配置されている。正面側キャビネット３と背面側キャビネット４とリアカバー５とで、筐体１０が構成されている。
【００１４】
図４に示すように、正面側キャビネット３は、例えばステンレス鋼板などの接地用部品としての補強フレーム３ａが樹脂材料よりなる外周壁３ｂの中央側にインサート成形されている。本実施形態では、外周壁３ｂが正面側キャビネット３における剛性を確保するリブを構成している。外周壁３ｂは、表示部２の左右に位置し、近年の表示部２の拡大化に伴い、できるだけその厚さ（幅）を小さくする必要がある。左右の外周壁３ｂの上下中間部には、部品収納凹部１１が形成されている。本実施形態では、部品収納凹部１１は、外周壁３ｂにおける補強フレーム３ａとの隅角部に形成されている。この部品収納凹部１１の背面側には、正面側キャビネット３と背面側キャビネット４との間を封止する防水パッキン１５が設けられており、防水性を保つために部品収納凹部１１及びその周辺は、剛性が必要とされている。
【００１５】
そして、各部品収納凹部１１には、正面側キャビネット３の外周壁３ｂを構成する樹脂材料よりも剛性の高い例えばステンレス鋼板等の曲げ構造よりなる第１補強部材１２又は第２補強部材１３が収納されている。図１及び図６に示す正面から見て右側の第１補強部材１２は、例えば、断面が台形状であり、挿入方向先端側の先端面１２ａの幅Ｗ１は、基端側の基端面１２ｂの幅Ｗ２よりも小さくなっている（Ｗ１＜Ｗ２）。このため、部品収納凹部１１に挿入しやすくなっている。また、第１補強部材１２の部品収納凹部１１に対する挿入方向先端側の幅Ｗ１が挿入方向反対側の幅Ｗ２よりも小さいことによる圧入構造が１つの抜け止めの役割を果たしている。そして、第１補強部材１２の先端面１２ａと部品収納凹部１１の内面との間には、両面テープ１４が貼り付けられている。この両面テープ１４による接着構造も抜け止め構造の１つとなっている。
【００１６】
一方、図５及び図７に示す左側の第２補強部材１３では、挿入方向先端側のスリット１３ａの幅Ｗ３が第１補強部材１２のスリット幅よりも大きい。また、上下端部には、同軸ケーブル９を、その弾性により押さえ付けるケーブル挟持部１３ｂがそれぞれ形成されている。上下のケーブル挟持部１３ｂにより、その内部に挿通された同軸ケーブル９と第２補強部材１３とが電気的に接続されている。そして、第２補強部材１３のスリット１３ａの幅Ｗ３が広くなっていることから、第２補強部材１３を部品収納凹部１１に収納するときに、スリット１３ａを閉じる方向にして弾性変形させながら挿入することで、第２補強部材１３が部品収納凹部１１の内面に圧接され、そのことで、第２補強部材１３を介して同軸ケーブル９が確実に補強フレーム３ａに電気的に接続されている。この構成によると、筐体１０の剛性を向上させながら、同軸ケーブル９のノイズ発生を確実に防止することができる。
【００１７】
さらに本実施形態では、部品収納凹部１１の反対側、すなわち、第１補強部材１２及び第２補強部材１３の左右内側には、収納部品としての充電池６が収容されている。この部品収納凹部１１の開放側が充電池６で閉じられる閉鎖構造によっても、第１補強部材１２及び第２補強部材１３が抜け止めされている。
【００１８】
このような簡単な構成で、第１補強部材１２及び第２補強部材１３の抜け止めをすることができる。
【００１９】
以上のように構成することにより、第１補強部材１２及び第２補強部材１３が正面側キャビネット３に収納されて抜け止めされた状態で剛性を確保できるので、筐体１０全体の剛性が向上する。
【００２０】
また、第１補強部材１２及び第２補強部材１３を、外周壁３ｂの厚さを厚くすることなく、部品収納凹部１１内に納めることができるので、筐体１０内に設ける部品（特に充電池６）を小さくする必要がない。
【００２１】
したがって、本実施形態に係る携帯電話機１によると、部分的に強度の不足する筐体１０を簡単かつ安価に補強することができる。
【００２２】
−変形例１−
図８は本発明の実施形態の変形例１を示し、第１及び第２補強部材１２，１３の材質が異なる点で上記実施形態と異なる。なお、以下の各変形例では、図１〜図７と同じ部分については同じ符号を付してその詳細な説明は省略する。
【００２３】
本変形例では、第１補強部材１２及び第２補強部材１３を樹脂成形品で構成している。図８に左側の第２補強部材１３のみ示すように、挿入方向先端側に部品収納凹部１１に設けた筐体側係合爪１１ａに係合する部材側係合部１３ｃが設けられている。
【００２４】
本変形例では、第１補強部材１２及び第２補強部材１３をインサートできない場合や、剛性の高い樹脂材料を二色成形できない場合でも、簡単に筐体１０の剛性を高めることができる。
【００２５】
−変形例２−
図９は本発明の実施形態の変形例２を示し、第２補強部材１３の形状が異なる点で上記実施形態と異なる。
【００２６】
本変形例では、補強フレーム３ａから間隔を空けて接地が必要な回路基板７が配置されており、この回路基板７の接地部に金属製の第２補強部材１３から延びる、弾性を有する接地用アーム１３ｄが接地している。この第２補強部材１３は、補強フレーム３ａにも接しているので、結果として、回路基板７を補強フレーム３ａに接地させることができる。この構成によると、第２補強部材１３を接地用の部品として兼用できるので、接地用の部品を別途設ける必要がない。なお、第１補強部材１２側に接地用アーム１３ｄを設けてもよいし、両方に設けてもよい。
【００２７】
（その他の実施形態）
本発明は、上記実施形態について、以下のような構成としてもよい。
【００２８】
すなわち、上記実施形態では、メインキャビネットは、正面側キャビネット３としたが、背面側キャビネット４でもよい。また、第１及び第２補強部材１２，１３を左右側面の上下中間に１つずつ設けたが、２つずつ以上設けてもよいし、他の剛性を確保するリブに設けてもよい。
【００２９】
上記実施形態では、第１及び第２補強部材１２，１３は、ステンレス鋼板を曲げたもので構成したが、外周壁３ｂの材料よりも剛性の高い材料であれば特に限定されない。
【００３０】
上記実施形態では、電子機器は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよく、液晶ディスプレイ、液晶テレビ、ブルーレイ（ＤＶＤ）レコーダ等であってもよい。
【００３１】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３２】
１      携帯電話機（電子機器）
２      表示部
３      正面側キャビネット（メインキャビネット）
３ａ    補強フレーム（接地用部品）
３ｂ    外周壁（剛性を確保するリブ）
４      背面側キャビネット
５      リアカバー
６      充電池（収納部品）
７      回路基板
８      防水シート
９      同軸ケーブル
１０      筐体
１１      部品収納凹部
１２      第１補強部材
１２ａ    先端面
１２ｂ    基端面
１３      第２補強部材
１３ａ    スリット
１３ｂ    ケーブル挟持部
１３ｃ    部材側係合部
１３ｄ    接地用アーム
１４      両面テープ
１５      防水パッキン
【図１】
2015130625.tif 000003
【図２】
2015130625.tif 000004
【図３】
2015130625.tif 000005
【図４】
2015130625.tif 000006
【図５】
2015130625.tif 000007
【図６】
2015130625.tif 000008
【図７】
2015130625.tif 000009
【図８】
2015130625.tif 000010
【図９】
2015130625.tif 000011